(57)【要約】【課題】本発明の目的は、防滴性の向上を図った電子機器を得ることにある。【解決手段】電子機器１は、第１の開口部５４と第２の開口部５８とを有する筐体６と、筐体６に取り付けられ第１の開口部５４を覆う第１の入力装置３１と、第１の開口部５４回りを取り囲むとともに第１の入力装置３１と筐体６との間に介在される第１のシーリング部材２４と、筐体６に取り付けられ第２の開口部５８を覆う第２の入力装置３２と、第２の開口部５８回りを取り囲むとともに第２の入力装置３２と筐体６との間に介在される第２のシーリング部材２５と、筐体６内に延びるとともに第１の入力装置３１と第２の入力装置３２とを互いに電気的に接続する電気接続部品４５とを具備する。【選択図】      図６
2008009904.tif 000002
【特許請求の範囲】
【請求項１】
第１の開口部と第２の開口部とを有する筐体と、
上記筐体に取り付けられ、上記第１の開口部を覆う第１の入力装置と、
上記第１の開口部回りを取り囲むとともに、上記第１の入力装置と上記筐体との間に介在される第１のシーリング部材と、
上記筐体に取り付けられ、上記第２の開口部を覆う第２の入力装置と、
上記第２の開口部回りを取り囲むとともに、上記第２の入力装置と上記筐体との間に介在される第２のシーリング部材と、
上記筐体内に延びるとともに、上記第１の入力装置と上記第２の入力装置とを互いに電気的に接続する電気接続部品と、
を具備することを特徴とする電子機器。
【請求項２】
請求項１に記載の電子機器において、
上記筐体は、その筐体を組み立てたときに筐体外面となる第１の壁面と筐体内面となる第２の壁面とを有し、上記第１の入力装置は上記筐体の第１の壁面に取り付けられ、上記第２の入力装置は上記筐体の第２の壁面に取り付けられ、上記電気接続部品は、上記第１の入力装置に電気的に接続され、かつ、上記筐体の第１の開口部に挿通され上記筐体内に延びるとともに、上記筐体内で上記第２の入力装置に電気的に接続されることを特徴とする電子機器。
【請求項３】
請求項２に記載の電子機器において、
上記第２の入力装置は、スイッチと、上記スイッチが実装された回路基板とを有し、上記スイッチは、上記筐体の第２の開口部を通じて少なくともその一部が上記筐体の外部に露出され、上記回路基板は、上記第２の開口部を覆うとともに上記第２のシーリング部材を支持することを特徴とする電子機器。
【請求項４】
請求項３に記載の電子機器において、
上記筐体の外部に設けられるとともに上記スイッチに対向する押しボタンと、
上記押しボタンと上記スイッチとの間に設けられるとともに、上記筐体の第２の開口部を覆う第３のシーリング部材と、を備えることを特徴とする電子機器。
【請求項５】
第１の開口部と第２の開口部とを有するとともに、組み立てられたときに筐体外面となる第１の壁面と筐体内面となる第２の壁面とを有する筐体と、
上記筐体の第１の壁面に取り付けられ、上記第１の開口部を覆う第１の入力装置と、
上記第１の開口部回りを取り囲むとともに、上記第１の入力装置と上記筐体との間に介在されるシーリング部材と、
上記筐体の第２の壁面に取り付けられるとともに、上記第２の開口部を通じて少なくともその一部が上記筐体の外部に露出されるスイッチを有する第２の入力装置と、
上記筐体の外部から上記スイッチに対向する押しボタンと、
上記押しボタンと上記スイッチとの間に設けられるとともに、上記筐体の第２の開口部を覆う他のシーリング部材と、
上記第１の入力装置に電気的に接続される電気接続部品であって、上記筐体の第１の開口部に挿通され上記筐体内に延びるとともに、上記筐体内で上記第２の入力装置に電気的に接続される電気接続部品と、
を具備することを特徴とする電子機器。
【請求項６】
請求項５に記載の電子機器において、
上記筐体は、上記第２の開口部の周縁部から上記筐体の外側を向いて起立するリブを有し、上記他のシーリング部材は、上記リブの先端に接するとともに上記スイッチに対向する平坦部と、上記平坦部の周縁から上記リブの外周面に沿って延びる周縁部とを有することを特徴とする電子機器。
【請求項７】
請求項６に記載の電子機器において、
上記筐体の第１の壁面に取り付けられるとともに、上記押しボタンを変位可能に支持するフレームを備え、このフレームは上記他のシーリング部材の位置を保持することを特徴とする電子機器。
【請求項８】
第１の開口部と第２の開口部とを有するとともに、組み立てられたときに筐体外面となる第１の壁面と筐体内面となる第２の壁面とを有する筐体と、
上記筐体の第１の壁面に取り付けられ、上記第１の開口部を覆う第１の入力装置と、
上記第１の開口部回りを取り囲むとともに、上記第１の入力装置と上記筐体との間に介在される第１のシーリング部材と、
上記筐体の第１の壁面に取り付けられ、上記第２の開口部を覆う第２の入力装置と、
上記第２の開口部回りを取り囲むとともに、上記第２の入力装置と上記筐体との間に介在される第２のシーリング部材と、
上記第１の入力装置に電気的に接続される電気接続部品であって、上記筐体の第１の開口部に挿通され上記筐体内に延びるとともに、上記筐体の第２の開口部に挿通され上記第２の入力装置に電気的に接続される電気接続部品と、
を具備することを特徴とする電子機器。
【請求項９】
請求項２、請求項５および請求項８のいずれかに記載の電子機器において、
上記第１の入力装置は、上記第１の開口部に対向する中央部を有し、上記電気接続部品は、上記第１の入力装置の中央部に接続されることを特徴とする電子機器。
【請求項１０】
請求項９に記載の電子機器において、
上記筐体は、外部に露出された外壁と、上記外壁と一体に形成されるとともに上記外壁に比べてこの筐体の内側に窪んで形成され、かつ、上記第１の開口部が開口する入力装置載置部とを有し、上記第１の入力装置は、上記入力装置載置部に載置され、上記入力装置載置部に支持されることを特徴とする電子機器。
【請求項１１】
請求項１０に記載の電子機器において、
開口部を有するとともに上記第１の入力装置を覆うように上記入力装置載置部に取り付けられるフレームを備え、上記第１の入力装置の一部は、上記フレームの開口部を通じて外部に露出されることを特徴とする電子機器。
【発明の詳細な説明】
【技術分野】
【０００１】
本発明は、例えばタッチパッドのような入力装置を備えた電子機器に係り、特に入力装置回りの防滴構造に関する。
【背景技術】
【０００２】
例えばポータブルコンピュータのような電子機器は、例えばタッチパッドユニットを備える。タッチパッドユニットは、ポインティングデバイスの一種であるタッチパッドと、クリックスイッチのような入力装置とを有する。
【０００３】
例えばタッチパッド回りに防滴構造を有する電子機器が提供されている（例えば、特許文献１参照）。特許文献１に記載の電子機器は、筐体の上面に凹部が設けられている。タッチパッド（すなわち特許文献１でいうポインティングデバイス）は、この筐体の凹部に載置される。さらに電子機器は、シール部材が取り付けられたパームレスト部材を備える。パームレスト部材を筐体の上面に取り付けることでタッチパッド回りは密閉される。
【特許文献１】特開２００１−１４７７４１号公報
【発明の開示】
【発明が解決しようとする課題】
【０００４】
例えばポータブルコンピュータのような電子機器に搭載されるタッチパッドユニットは、タッチパッドの他にクリックスイッチを実装したスイッチ基板部を併せて有することが多い。タッチパッドとスイッチ基板部との間には、例えばＦＰＣ(flexible printed circuit board)やハーネスのような電気接続部品が設けられ、両者は互いに電気的に接続されている。
【０００５】
特許文献１に記載の防滴構造は、タッチパッド単体に対しては好ましい形態であるが、例えばスイッチ基板部を有する電子機器に対してはそのまま採用することが難しい。すなわち例えば誤ってコーヒーや水のような液体を電子機器の上にこぼしてしまった場合、タッチパッドとスイッチ基板部とを互いに接続する電気接続部品回りに液体が付着するおそれがある。電気接続部品回りに液体が付着すると、ショートや他の回路部品の誤動作の原因と成り得る。
【０００６】
本発明の目的は、防滴性の向上を図った電子機器を得ることにある。
【課題を解決するための手段】
【０００７】
上記目的を達成するため、本発明の一つの形態に係る電子機器は、第１の開口部と第２の開口部とを有する筐体と、筐体に取り付けられ第１の開口部を覆う第１の入力装置と、第１の開口部回りを取り囲むとともに第１の入力装置と筐体との間に介在される第１のシーリング部材と、筐体に取り付けられ第２の開口部を覆う第２の入力装置と、第２の開口部回りを取り囲むとともに第２の入力装置と筐体との間に介在される第２のシーリング部材と、筐体内に延びるとともに第１の入力装置と第２の入力装置とを互いに電気的に接続する電気接続部品とを具備する。
【発明の効果】
【０００８】
この構成によれば、電気接続部品回りに液体が付着するおそれが減少し、電子機器の防滴性が向上する。
【発明を実施するための最良の形態】
【０００９】
以下に本発明の実施の形態を、ポータブルコンピュータに適用した図面に基づいて説明する。  
図１ないし図８は、本発明の第１の実施形態に係る電子機器としてのポータブルコンピュータ１を開示している。図１に示すように、ポータブルコンピュータ１は、本体２と表示ユニット３とを備える。
【００１０】
本体２は、筐体ベース４と筐体カバー５とを有する。筐体カバー５は、筐体ベース４に上方から組み合わされる。筐体ベース４と筐体カバー５とが協働することで、箱状に形成された筐体６が組み立てられる。筐体６は、上壁６ａ、周壁６ｂ、および図示しない下壁を有する。筐体６は、メイン回路基板７（いわゆるマザーボード）を収容している。
【００１１】
筐体６の上壁６ａには、キーボード載置部８が設けられている。キーボード９は、キーボード載置部８に載置され、筐体６により下方から支持されている。上壁６ａのなかでキーボード載置部８より手前には、一対の左右パームレスト部１０ａ，１０ｂが形成されている。
【００１２】
図１に示すように、表示ユニット３は、ディスプレイハウジング１１と、このディスプレイハウジング１１に収容された液晶表示パネル１２とを備えている。液晶表示パネル１２は、表示画面１２ａを有している。表示画面１２ａは、ディスプレイハウジング１１の前面の開口部１１ａを通じてディスプレイハウジング１１の外部に露出している。
【００１３】
表示ユニット３は、筐体６の後端部に一対のヒンジ装置１３ａ，１３ｂを介して支持されている。そのため、表示ユニット３は、上壁６ａを上方から覆うように倒される閉じ位置と、上壁６ａを露出させるように起立する開き位置との間で回動可能である。
【００１４】
図２に示すように、本体２は、一対の押しボタン２１ａ，２１ｂ、フレーム２２、タッチパッドユニット２３、並びに第１および第２のシーリング部材２４，２５を備える。筐体６の上壁６ａは、タッチパッドユニット２３が取り付けられるタッチパッドユニット載置部２６（以下、載置部２６と略）を有する。載置部２６は、本発明でいう入力装置載置部の一例である。
【００１５】
図３に示すように、タッチパッドユニット２３は、タッチパッド３１とスイッチ基板部３２とを有する。タッチパッド３１は、ポインティングデバイスの一例であり、第１の入力装置の一例である。タッチパッド３１は、平坦に形成された入力操作部３４と、この入力操作部３４の裏面に取り付けられた第１の回路基板３５とを有する。図３および図６に示すように、第１の回路基板３５の下面３５ａ（すなわち入力操作部３４とは反対側の面）の中央部には、例えば半導体チップのような回路部品３６が実装されている。
【００１６】
スイッチ基板部３２は、第２の入力装置の一例である。スイッチ基板部３２は、一対のクリックスイッチ４１ａ，４１ｂと第２の回路基板４２とを有する。一対のクリックスイッチ４１ａ，４１ｂは、本体２の幅方向に沿って互いに離間するとともに、第２の回路基板４２の上面に実装されている。第２の回路基板４２の左右両端部には、それぞれねじ挿通孔４３が形成されている。
【００１７】
図３および図６に示すように、タッチパッド３１とスイッチ基板部３２との間には電気接続部品４５が設けられている。電気接続部品４５の一例は、例えばＦＦＣ(flexible flat cable)、ＦＰＣ(flexible printed circuit board)、ハーネス、またはケーブルなどが挙げられる。なお電気接続部品４５は、タッチパッド３１とスイッチ基板部３２とを互いに電気的に接続する部品であればこれらに限らない。
【００１８】
図６に示すように、電気接続部品４５の一端部は、タッチパッド３１の第１の回路基板３５の中央部３１ａに接続されている。電気接続部品４５の他端部は、スイッチ基板部３２の第２の回路基板４２に接続されている。これにより、タッチパッド３１とスイッチ基板部３２とは互いに電気的に接続される。
【００１９】
なお本実施形態では電気接続部品４５は第１および第２の回路基板３５，４２に直接接続されているが、電気接続部品４５は例えば図６中の２点鎖線で示すようなコネクタ４６を介して着脱自在に接続されても良い。
【００２０】
図３および図６に示すように、タッチパッドユニット２３は、さらに他の電気接続部品４７を有する。他の電気接続部品４７の一端は、タッチパッド３１の中央部３１ａに接続されている。他の電気接続部品４７の他端は、例えば図示しないコネクタを介してメイン回路基板７に電気的に接続されている。電気接続部品４７の材質は、電気接続部品４５のそれと同じであっても良いし、異なっても良い。
【００２１】
図３に示すように、スイッチ基板部３２には例えば二つの第２のシーリング部材２５，２５が取り付けられる。第２のシーリング部材２５の一例は、クリックスイッチ４１ａ，４１ｂより一回り大きな枠状に形成された合成ゴム部材である。枠状に形成された第２のシーリング部材２５は、クリックスイッチ４１ａ，４１ｂの周囲を取り囲むように第２の回路基板４２に取り付けられる。第２のシーリング部材２５は、第２の回路基板４２に例えば両面テープで取り付けられる。なお第２のシーリング部材２５の取付け方法は、両面テープに限らない。なお第２のシーリング部材２５自体を両面テープで形成しても良い。図示された第２のシーリング部材２５は、矩形状の枠形であるが、例えば輪状であっても良く、形状は問わない。
【００２２】
次に、図２、図４および図６を参照して載置部２６について詳しく説明する。  
図２に示すように、載置部２６は左右パームレスト部１０ａ，１０ｂの間に設けられている。筐体６は、載置部２６およびキーボード載置部８を除く領域に筐体６の外部に露出された筐体外壁４９を形成している。載置部２６およびキーボード載置部８は、この筐体外壁４９と一体に成形され、筐体外壁４９と連続して形成されている。
【００２３】
載置部２６は、筐体６が組み立てられたときに筐体外面となる第１の壁面２６ａと、筐体内面となる第２の壁面２６ｂとを有する。さらに載置部２６は、第１および第２の底壁５１，５２を有する。第１の底壁５１は、キーボード載置部８に隣接するとともに、タッチパッド３１が載置されるのに十分な大きさを有する。図６に示すように、第１の底壁５１は、筐体外壁４９に比べて筐体６の内側に入り込み、筐体外壁４９に対して段差を有する。第１の底壁５１は、例えばタッチパッド３１の厚さとフレーム２２の厚さとを足し合わせた厚さ分だけ筐体外壁４９に対して窪んでいる。
【００２４】
図２に示すように、キーボード載置部８および第２の底壁５２に隣接しない第１の底壁５１の周縁部からは第１の周壁５３が筐体６の外側を向いて起立している。第１の周壁５３の延伸端は、筐体外壁４９に繋がっている。図４に示すように、第１の底壁５１には、第１の開口部５４が形成されている。第１の開口部５４は、第１の底壁５１の中央部において筐体６の内部に開口している。第１の開口部５４は、タッチパッド３１の外形に比べて小さな開口形状をしている。
【００２５】
図４に示すように、第２の底壁５２は、第１の底壁５１に比べて手前側、すなわちユーザー側に設けられている。第２の底壁５２は、スイッチ基板部３２が取り付けられるのに十分な大きさを有する。図６に示すように、第２の底壁５２は、第１の底壁５１に比べてさらに筐体６の内側に入り込んでいる。第２の底壁５２は、例えば少なくとも押しボタン２１ａ，２１ｂを収容するのに十分な大きさだけ筐体外壁４９に対して窪んでいる。
【００２６】
第１の底壁５１に隣接しない第２の底壁５２の周縁部からは筐体６の外側を向いて第２の周壁５６が起立している。第２の周壁５６の延伸端は、筐体外壁４９に繋がっている。第１の底壁５１に隣接する第２の底壁５２の周縁部からは、段差壁５７が起立している。段差壁５７の先端は、第１の底壁５１の周縁部に繋がっている。このように載置部２６は、筐体外壁４９に対して凹状に形成されている。
【００２７】
図４に示すように、第２の底壁５２には、一対の第２の開口部５８，５８が形成されている。一対の第２の開口部５８は、本体２の幅方向に互いに離間して配置されている。第２の開口部５８は、クリックスイッチ４１ａ，４１ｂの外形より一回り大きく開口している。図６に示すように、第２の開口部５８，５８は、クリックスイッチ４１ａ，４１ｂに対向する。図２および図７に示すように、第２の底壁５２にはさらに一対のボス５９ａ，５９ｂが設けられている。ボス５９ａ，５９ｂにはねじ孔６０が形成されている。ねじ孔６０は、筐体６の内部に開口している。
【００２８】
図４に示すように、第１および第２の底壁５１，５２には、例えば複数の装着孔６１が形成されている。詳しくは図示しないが、装着孔６１の周縁部からは筐体６の内側を向いてリブが起立している。このリブの先端には例えばシールのようなシーリング部材が貼られている。すなわち装着孔６１の回りは液密に形成され、装着孔６１を通じて筐体６の内部に液体が浸入するおそれはほとんど無い。
【００２９】
次に、図６ないし図８を参照してタッチパッドユニット２３の実装構造について説明する。  
タッチパッド３１は、第１の底壁５１に載置され第１の底壁５１に支持される。タッチパッド３１は筐体６の第１の壁面２６ａに取り付けられる。すなわちタッチパッド３１は、筐体６の外側から筐体６に取り付けられている。なお本明細書で「筐体６の外側から筐体６に取り付ける」とは、「“筐体６が組み立てられたときに筐体６の外部となる側”から筐体６に取り付ける」ことを含む。「筐体６の内側から筐体６に取り付ける」場合であっても同様に、「“筐体６が組み立てられたときに筐体６の内部となる側”から筐体６に取り付ける」ことを含む。
【００３０】
タッチパッド３１の入力操作部３４は、筐体６の外部に露出されている。タッチパッド３１は、第１の開口部５４を覆っている。タッチパッド３１の中央部３１ａは、第１の開口部５４に対向するとともに、第１の開口部５４を通じて筐体６の内部に臨んでいる。タッチパッド３１の周縁部３１ｂは、第１の底壁５１に対向している。  
タッチパッド３１に接続された例えば二つの電気接続部品４５，４７は、共に第１の開口部５４に挿通され、筐体６の内部に引き出されている。一つの電気接続部品４７は、筐体６内を延びるとともに筐体６内でメイン回路基板７に電気的に接続されている。
【００３１】
図２および図６に示すように、タッチパッド３１と筐体６との間には、第１のシーリング部材２４が設けられている。第１のシーリング部材２４の一例は、例えば両面テープである。タッチパッド３１は、両面テープである第１のシーリング部材２４により筐体６に固定される。図８に示すように、第１のシーリング部材２４は、タッチパッド３１の外形より小さく、かつ、第１の開口部５４より大きな枠状に形成されている。閉ループ状に形成された第１のシーリング部材２４は、第１の底壁５１に取り付けられ、第１の開口部５４回りを取り囲んでいる。
【００３２】
図６に示すように、タッチパッド３１を筐体６に取り付けると、第１のシーリング部材２４は、タッチパッド３１の周縁部３１ｂと筐体６との間に介在される。すなわち第１のシーリング部材２４によりタッチパッド３１と筐体６との間は液密に塞がれている。
【００３３】
スイッチ基板部３２は、第２の底壁５２に取り付けられる。スイッチ基板部３２は、筐体６の第２の壁面２６ｂに取り付けられる。すなわちスイッチ基板部３２は、筐体６の内側から筐体６に取り付けられる。詳しくは図７に示すように、第２の回路基板４２のねじ挿通孔４３に挿通されたねじ６２が第２の底壁５２に設けられたボス５９ａ，５９ｂのねじ孔６０に係合することで、第２の回路基板４２が筐体６に固定される。
【００３４】
スイッチ基板部３２を筐体６に固定すると、一対のクリックスイッチ４１ａ，４１ｂは、第２の開口部５８，５８の開口縁部に取り囲まれるとともに、第２の開口部５８，５８を通じて筐体６の外部に露出される。一方、第２の回路基板４２の大部分は、第２の底壁５２に覆われて筐体６の外部に露出されない。第２の回路基板４２は、第２の開口部５８を覆っている。なおクリックスイッチ４１ａ，４１ｂは、少なくともその一部が筐体６の外部に露出されていれば良い。
【００３５】
図８に示すように、第２のシーリング部材２５は、第２の開口部５８より一回り大きい枠状に形成されている。閉ループ状に形成された第２のシーリング部材２５は、第２の開口部５８回りを取り囲む。第２のシーリング部材２５は、第２の回路基板４２に支持されている。
【００３６】
第２の回路基板４２がねじ止めされると、第２のシーリング部材２５は第２の回路基板４２と筐体６との間に介在されるとともに、第２の回路基板４２と筐体６との間で圧縮保持される。すなわち第２のシーリング部材２５により第２の回路基板４２と筐体６との間は液密に塞がれる。なお、スイッチ基板部３２の取り付けは、ねじ固定に限らず、例えば爪のような係合部により固定しても良いしその他の方法であって良い。
【００３７】
図６および図７に示すように、スイッチ基板部３２の下方には例えば板金６３が設けられている。板金６３は、例えば第２の回路基板４２と併せてねじ６２により固定される。板金６３は、スイッチ基板部３２を下方から支持する。  
図６に示すように、第１の開口部５４に挿通され筐体６内に延びる電気接続部品４５は、筐体６内でスイッチ基板部３２に接続されている。
【００３８】
次に、図５を参照して押しボタン２１ａ，２１ｂおよびフレーム２２について詳しく説明する。  
フレーム２２は、載置部２６の外形と略同じ外形の板状に形成されている。フレーム２２は、載置部２６の第１の壁面２６ａに着脱自在に取り付けられる。フレーム２２は、第３の開口部７１と第４の開口部７２とを有する。第３の開口部７１は、タッチパッド３１に対向する領域に形成されている。第３の開口部７１は、タッチパッド３１の外形に比べて小さく形成されている。フレーム２２を載置部２６に取り付けると、タッチパッド３１の入力操作部３４が第３の開口部７１を通じてポータブルコンピュータ１の外部に露出される。ユーザーは、第３の開口部７１を通じてタッチパッド３１を操作することができる。
【００３９】
第４の開口部７２は、スイッチ基板部３２に対向する領域に形成されている。第４の開口部７２は、本体２の幅方向に沿った長方形状に形成されている。  
フレーム２２は、その周縁部に例えば複数の係合爪７３を有する。フレーム２２を載置部２６に載置すると、係合爪７３は載置部２６の装着孔６１に係合する。載置部２６に取り付けられたフレーム２２の上面２２ａは、筐体外壁４９の上面４９ａと同じ面に位置する。
【００４０】
図５に示すように、一対の押しボタン２１ａ，２１ｂは、それぞれボタントップ７５，ボタンベース７６、および一対のアーム７７ａ，７７ｂを有する。左右押しボタン２１ａ，２１ｂのボタンベース７６は、共に第４の開口部７２内に互いに並んで配置され、第４の開口部７２の開口縁部に取り囲まれている。図６に示すように、ボタンベース７６の下面には押圧突起７８が形成されている。押圧突起７８は、筐体６の外側からクリックスイッチ４１ａ，４１ｂに対向している。なお図６および図７では、アーム７７ａ，７７ｂを一部または全部省略して示している。
【００４１】
図５に示すように、ボタンベース７６は、一対のアーム７７ａ，７７ｂによりフレーム２２に支持されている。ボタンベース７６およびアーム７７ａ，７７ｂは、例えばフレーム２２と一体に成形されている。ボタンベース７６およびアーム７７ａ，７７ｂは、例えば合成樹脂により形成され、弾性を有する。ボタンベース７６は、アーム７７ａ，７７ｂにより変位可能に支持されている。ボタンベース７６は、押圧突起７８がクリックスイッチ４１ａ，４１ｂから離れる待機位置と、押圧突起７８がクリックスイッチ４１ａ，４１ｂに接する操作位置との間で進退自在である。
【００４２】
図５に示すように左右の押しボタン２１ａ，２１ｂのボタントップ７５は、フレーム２２と別体で成形されている。ボタントップ７５は、ボタンベース７６に載置され、例えばボタンベース７６に溶着により取り付けられる。二つのボタントップ７５は、協働することでフレーム２２の第４の開口部７２の外形に合致する大きさに形成されている。
【００４３】
次に、ポータブルコンピュータ１の組立てについて説明する。  
タッチパッドユニット２３は、筐体カバー５に対して上面側（すなわち筐体６の外側）から取り付けられる。詳しくは、まず第２のシーリング部材２５をスイッチ基板部３２に取り付ける。第２のシーリング部材２５が取り付けられたスイッチ基板部３２は、載置部２６の第１の開口部５４をくぐらせて筐体６の内部に入れられる。筐体６の内部に入れられたスイッチ基板部３２はねじ６２で第２の底壁５２の下面に固定される。第２のシーリング部材２５が第２の回路基板４２と筐体６との間に介在されることで、第２の開口部５８回りが液密になる。
【００４４】
スイッチ基板部３２を筐体６に固定した後、または固定する前にタッチパッド３１を筐体６に固定する。詳しくは両面テープである第１のシーリング部材２４を載置部２６の第１の底壁５１に貼り付け、タッチパッド３１を第１のシーリング部材２４の上に取り付ける。第１のシーリング部材２４がタッチパッド３１と筐体６との間に介在されることで、第１の開口部５４回りが液密になる。
【００４５】
タッチパッドユニット２３を筐体６に固定した後、ボタントップ７５が組み付けられたフレーム２２を載置部２６に取り付ける。これによりポータブルコンピュータ１のタッチパッドユニット２３回りの組立てが完了する。
【００４６】
次に、ポータブルコンピュータ１の作用について説明する。  
例えば誤ってコーヒーや水のような液体をポータブルコンピュータ１の上にこぼしてしまった場合、こぼされた液体はフレーム２２の第３および第４の開口部７１，７２およびフレーム２２と筐体６との間の隙間を通じて載置部２６に浸入する。載置部２６に浸入した液体はさらに第１および第２の開口部５４，５８を通じて筐体６の内部に浸入しようとするが、図７に示すように第１および第２の開口部５４，５８回りは第１および第２のシーリング部材２４，２５により液密に形成されているので液体の浸入が阻まれる。
【００４７】
このような構成のポータブルコンピュータ１によれば、電気接続部品４５回りに液体が付着するおそれが減少し、防滴性が向上する。すなわち、載置部２６の第１および第２の開口部５４，５８回りは第１および第２のシーリング部材２４，２５により液密に形成される。
【００４８】
タッチパッド３１に接続された二つの電気接続部品４５，４７は、第１の開口部５４に挿通され筐体６の内部に延びるとともに、それぞれスイッチ基板部３２またはメイン回路基板７に電気的に接続されている。すなわち電気接続部品４５，４７は、第１および第２のシーリング部材２４，２５により液密に形成された防滴領域内に延びているため、筐体６の上壁６ａにこぼされた液体が電気接続部品４５，４７回りに付着するおそれがほとんど無い。さらにタッチパッド３１の下面３５ａに実装された回路部品３６もこの防滴領域内に実装されているため、液体が付着するおそれがほとんど無い。
【００４９】
スイッチ基板部３２を筐体６の内部に収容するとともに第２の開口部５８をクリックスイッチ４１ａ，４１ｂに対して一回り大きく形成すると、クリックスイッチ４１ａ，４１ｂを筐体６の外部に露出させるとともに、第２の回路基板４２の大部分を筐体６の外部から覆い隠すことができる。すなわち、必要最低限の箇所だけを防滴領域の外部に露出させるとともに、回路部品を実装する第２の回路基板４２の大部分を防滴領域の内部に収容することができる。これはポータブルコンピュータ１の防滴性の向上に寄与する。
【００５０】
例えばタッチパッド３１は、筐体６の内部に収容しても良い。タッチパッド３１はユーザーが直接操作する部品であり、ユーザーにより例えば下方を向く外力が加えられる。そこでタッチパッド３１を筐体６の内部に収容しようとすると、例えばタッチパッド３１を下方から支持する受け部材が設けられる。この受け部材は例えば板金などで形成される。
【００５１】
一方、タッチパッド３１を筐体６の第１の壁面２６ａに取り付けると、タッチパッド３１に働く外力は筐体６により受け止められる。すなわち筐体６自体がタッチパッド３１を下方から支持する受け部材として機能するので、例えば板金のような別の受け部材を省略することが可能となる。これはポータブルコンピュータ１の軽量化に寄与する。
【００５２】
一方、本実施形態ではスイッチ基板部３２を筐体６の内側に収容し、スイッチ基板部３２に働く外力を受けるための板金６３を設けている。ここでスイッチ基板部３２はタッチパッド３１に比べて小さいため、スイッチ基板部３２に必要な板金はタッチパッドに必要な板金に比べて小さくて済む。
【００５３】
すなわち、本実施形態に係るポータブルコンピュータは、大きな受け部材が必要なタッチパッド３１を筐体６の外側に配置し、受け部材は小さくて済み、かつ、液体からの保護が望まれるスイッチ基板部３２を筐体の内側に配置することで、軽量化と防滴性能の向上を同時に図ることができる。さらに本実施形態に係る構造を有することで、このようにタッチパッド３１とスイッチ基板部３２とを筐体６の内外に分かれて配置しても電気接続部品４５を液体の付着から保護することができる。
【００５４】
電気接続部品４５がタッチパッド３１の例えば中央部３１ａに接続されていると、電気接続部品４５が第１のシーリング部材２４と筐体６との間、または第１のシーリング部材２４とタッチパッド３１との間に介在されることが無く、第１のシーリング部材２４のシーリング効果を阻害しない。
【００５５】
載置部２６にフレーム２２を取り付けることで、載置部２６やタッチパッドユニット２３がフレーム２２によって外部から覆い隠されるので、ポータブルコンピュータ１の見栄えが向上する。載置部２６が筐体外壁４９に比べて窪んで形成されるとともに、載置部２６に取り付けたフレーム２２の上面２２ａが筐体外壁４９の上面４９ａに一致すると、ポータブルコンピュータ１の見栄えが向上する。
【００５６】
次に、本発明の第２の実施形態に係る電子機器としてのポータブルコンピュータ８１を、図９ないし図１１を参照して説明する。なお第１の実施形態に係るポータブルコンピュータ１と同じ機能を有する構成は、同一の符号を付してその説明を省略する。  
ポータブルコンピュータ８１は、一対の押しボタン２１ａ，２１ｂ、フレーム２２、タッチパッドユニット２３、第１および第２のシーリング部材２４，２５に加えて、さらに第３シーリング部材８２を有する。なお本実施形態では、第２のシーリング部材２５は省略可能である。
【００５７】
図１０は、タッチパッドユニット２３を実装した状態の載置部２６の図である。図１０に示すように、載置部２６の第２の底壁５２には第１および第２のリブ８３，８４が設けられている。第１および第２のリブ８３，８４は、第２の底壁５２から筐体６の外側を向いて起立している。第１のリブ８３は、一対の第２の開口部５８の周縁部を併せて取り囲むように形成されている。すなわち第１のリブ８３は、右側の第２の開口部５８の手前、奥、右の周縁部、および左側の第２の開口部の手前、奥、左の周縁部に沿っている。第１のリブ８３は、二つの第２の開口部５８，５８を途切れることなく囲む枠状に形成されている。
【００５８】
第２のリブ８４は、例えば四つ設けられ、それぞれ互いに独立している。第２のリブ８４は、第１のリブ８３に沿って延びている。第２のリブ８４は、第１のリブ８３の外周面に対向するとともに、第１のリブ８３との間に隙間を空けて配置されている。
【００５９】
図１１に示すように、第３のシーリング部材８２は、第１のリブ８３の先端を覆うとともにクリックスイッチ４１ａ，４１ｂに対向する平坦部８２ａと、平坦部８２ａの周縁部から下方を向いて延びる周縁部８２ｂとを有する。周縁部８２ｂは、平坦部８２ａの全周縁に亘って設けられている。すなわち第３のシーリング部材８２は、下方に窪みを有するカップ状に形成されている。第３のシーリング部材８２は、弾性または可撓性を有する。第３のシーリング部材８２の一例は、例えば合成ゴム部材で形成されている。
【００６０】
図９に示すように、第３のシーリング部材８２は、第１のリブ８３に被せられる。すなわち平坦部８２ａが第１のリブ８３の先端に接するとともに、周縁部８２ｂが第１のリブ８３と第２のリブ８４との間に配置される。第３のシーリング部材８２の周縁部８２ｂは、第１のリブ８３の外周面８３ａに沿って延びる。すなわち第３のシーリング部材８２は、筐体６の外側から第２の開口部５８を覆っている。
【００６１】
図１１に示すように、第３のシーリング部材８２は、押しボタン２１ａ，２１ｂとクリックスイッチ４１ａ，４１ｂとの間に設けられる。フレーム２２は、第４の開口部７２の周縁部から載置部２６を向いて延びる第３のリブ８５を有する。第３のリブ８５の先端は、例えば第３のシーリング部材８２の周縁部８２ｂに接しており、第３のシーリング部材８２を例えば圧縮保持する。フレーム２２は、第３のシーリング部材８２の位置を保持する。なお第３のリブ８５は、第３のシーリング部材８２の全周縁に接するように形成されても良く、部分的に接するように形成されていても良い。さらに第３のリブ８５は、第３のシーリング部材８２に接していなくても良い。なお第３のリブ８５は無くても良い。
【００６２】
次に、ポータブルコンピュータ８１の作用について説明する。  
ユーザーが押しボタン２１ａ，２１ｂを押すと、第３のシーリング部材８２は押しボタン２１ａ，２１ｂの進退に合わせて変形する。押しボタン２１ａ，２１ｂは、第３のシーリング部材８２を介してクリックスイッチ４１ａ，４１ｂを操作する。
【００６３】
例えば誤ってコーヒーや水のような液体をポータブルコンピュータ８１の上にこぼしてしまった場合、液体は載置部２６に浸入する。載置部２６に浸入した液体は、さらに第１および第２の開口部５４，５８を通じて筐体６の内部に浸入しようとするが、第１および第２の開口部５４，５８回りは第１および第３のシーリング部材２４，８２により液密に形成されているので浸入が阻まれる。
【００６４】
このような構成のポータブルコンピュータ８１によれば、電気接続部品４５回りに液体が付着するおそれが減少し、防滴性が向上する。すなわち、載置部２６の第１および第２の開口部５４，５８回りは第１および第３のシーリング部材２４，８２により液密に形成される。
【００６５】
タッチパッド３１に接続された二つの電気接続部品４５，４７は、第１の開口部５４に挿通され、第１および第３のシーリング部材２４，８２により液密に形成された防滴領域内に延びているため、筐体６の上壁６ａにこぼされた液体が電気接続部品４５，４７回りに付着するおそれがほとんど無い。すなわち第１の実施形態に係るポータブルコンピュータ１と同様の理由で防滴性が向上する。
【００６６】
ポータブルコンピュータ８１が筐体６の外側から第２の開口部５８を覆う第３のシーリング部材８２を有すると、載置部２６に浸入した液体がクリックスイッチ４１ａ，４１ｂに付着しない。すなわち第１の実施形態に係るポータブルコンピュータ１の防滴性能に加えてクリックスイッチ４１ａ，４１ｂの防滴をも図ったポータブルコンピュータ８１を得ることができる。
【００６７】
本実施形態に係るポータブルコンピュータ８１のように、スイッチ基板部３２を筐体６の内側に配置するともに第３のシーリング部材８２を筐体６の外側に配置すると、第３のシーリング部材８２の構造を簡単なものにすることができる。
【００６８】
第２の開口部５８の周縁部に第１のリブ８３が設けられていると、載置部２６の第２の底壁５２に到達した液体が第２の開口部５８に浸入することが第１のリブ８３によって阻まれる。これはポータブルコンピュータ８１の防滴性能の向上に寄与する。さらに、ユーザーはこの第１のリブ８３をガイドして第３のシーリング部材８２を取り付けることができる。第２のリブ８４が設けられていると、ユーザーはこの第２のリブ８４をもガイドとして利用して第３のシーリング部材８２を取り付けることができる。これらはポータブルコンピュータ８１の組立性の向上に寄与する。
【００６９】
フレーム２２の下面が第３のシーリング部材８２を保持していると、第３のシーリング部材８２の位置が固定される。すなわち第３のシーリング部材８２が上方に外れない。したがって第３のシーリング部材８２を別途固定する固定具などを省略することができる。なおフレーム２２は、第３のシーリング部材８２に接している必要は無い。例え第３のシーリング部材８２との間に隙間があっても、フレーム２２が第３のシーリング部材８２に対向していると第３のシーリング部材８２の浮き上がりを防止することができる。フレーム２２が第３のシーリング部材８２に接しており、第３のシーリング部材８２を圧縮保持していると、第２の開口部回りの防滴性が向上する。
【００７０】
ポータブルコンピュータ８１は、第２のシーリング部材２５を省略しても良いが、有していても良い。例えば大量の液体がポータブルコンピュータ８１にこぼされた場合、第３のシーリング部材８２と筐体６との間の僅かな隙間から液体が第２の開口部５８に浸入するおそれがあるが、第２のシーリング部材２５を有せばそのような液体の浸入の防止を図ることができる。
【００７１】
次に、本発明の第３の実施形態に係る電子機器としてのポータブルコンピュータ９１を、図１２および図１３を参照して説明する。なお第１の実施形態に係るポータブルコンピュータ１と同じ機能を有する構成は、同一の符号を付してその説明を省略する。
【００７２】
ポータブルコンピュータ９１は、一対の押しボタン２１ａ，２１ｂ、フレーム２２、タッチパッドユニット２３、第１のシーリング部材２４に加えて、さらに第２のシーリング部材９２を有する。本実施形態に係る第２のシーリング部材９２は、例えば両面テープである。図１２に示すように、載置部２６の第２の底壁５２には、第２の開口部９３が開口している。本実施形態に係る第２の開口部９３は、例えば一つである。
【００７３】
第２のシーリング部材９２は、第２の開口部９３より大きな枠状に形成されている。第２のシーリング部材９２は、載置部２６の第２の底壁５２に貼り付けられる。閉ループ状に形成された第２のシーリング部材９２は、第２の開口部９３回りを取り囲む。
【００７４】
図１３に示すように、タッチパッドユニット２３のスイッチ基板部３２は、筐体６の第１の壁面２６ａに取り付けられる。すなわちスイッチ基板部３２は、筐体６の外側から第２のシーリング部材９２の上に取り付けられる。第２のシーリング部材９２は、スイッチ基板部３２と筐体６との間に介在される。第２のシーリング部材９２によりスイッチ基板部３２と筐体６との間は液密になる。
【００７５】
タッチパッド３１に電気的に接続された電気接続部品４５，４７は、共に第１の開口部５４に挿通され、筐体６の内部に引き出されている。筐体６内に延びる電気接続部品４５は、さらに第２の開口部９３に挿通され、スイッチ基板部３２に例えばコネクタ４６を介して電気的に接続されている。電気接続部品４５は、コネクタ４６に例えば着脱自在に接続される。
【００７６】
このような構成のポータブルコンピュータ９１によれば、電気接続部品４５回りに液体が付着するおそれが減少し、防滴性が向上する。すなわち、載置部２６の第１および第２の開口部５４，９３回りは第１および第２のシーリング部材２４，９２により液密に形成される。
【００７７】
タッチパッド３１に接続された二つの電気接続部品４５，４７は、第１の開口部５４に挿通され、第１および第２のシーリング部材２４，９２により液密に形成された防滴領域内に延びているため、筐体６の上壁６ａにこぼされた液体が電気接続部品４５，４７回りに付着するおそれがほとんど無い。すなわち第１の実施形態に係るポータブルコンピュータ１と同様の理由で防滴性が向上する。
【００７８】
以上、第１ないし第３の実施形態に係るポータブルコンピュータ１，８１，９１について説明したが、本発明の実施形態はもちろんこれらに限定されない。例えば第１および第２の入力装置は、共にポインティングデバイスであっても良く、共にスイッチ基板部であっても良い。本発明の実施形態は、例えば三つ以上の入力装置を有する電子機器に適用しても良い。スイッチ基板部３２にコネクタ４６を実装する代わりにタッチパッド３１にコネクタ４６を実装し、電気接続部品４５をタッチパッド３１に対して着脱自在に接続しても良い。本発明の実施形態が適用可能な電子機器はポータブルコンピュータに限らない。
【図面の簡単な説明】
【００７９】
【図１】本発明の第１の実施形態に係るポータブルコンピュータの斜視図。
【図２】第１の実施形態に係るポータブルコンピュータを分解して示す斜視図。
【図３】第１の実施形態に係るタッチパッドユニットの斜視図。
【図４】第１の実施形態に係る載置部の平面図。
【図５】第１の実施形態に係る押しボタンおよびフレームの斜視図。
【図６】図１中に示されたポータブルコンピュータのＦ６−Ｆ６線に沿う断面図。
【図７】図１中に示されたポータブルコンピュータのＦ７−Ｆ７線に沿う断面図。
【図８】第１の実施形態に係る載置部とタッチパッドユニットの平面図。
【図９】本発明の第２の実施形態に係るポータブルコンピュータを分解して示す斜視図。
【図１０】第２の実施形態に係る載置部の斜視図。
【図１１】図９中に示されたポータブルコンピュータのＦ１１−Ｆ１１線に沿う断面図。
【図１２】本発明の第３の実施形態に係るポータブルコンピュータを分解して示す斜視図。
【図１３】図１２中に示されたポータブルコンピュータのＦ１３−Ｆ１３線に沿う断面図。
【符号の説明】
【００８０】
１，８１，９１…ポータブルコンピュータ、６…筐体、２１ａ．２１ｂ…押しボタン、２２…フレーム、２３…タッチパッドユニット、２４，２５，８２，９２…シーリング部材、２６…載置部、２６ａ…第１の壁面、２６ｂ…第２の壁面、３１…タッチパッド、３１ａ…中央部、３２…スイッチ基板部、４１ａ，４１ｂ…クリックスイッチ、４２…回路基板、４５，４７…電気接続部品、４９…筐体外壁、５４，５８，９３…開口部、８２ａ…平坦部、８２ｂ…周縁部、８３，８４…リブ。
【図１】
2008009904.tif 000003
【図２】
2008009904.tif 000004
【図３】
2008009904.tif 000005
【図４】
2008009904.tif 000006
【図５】
2008009904.tif 000007
【図６】
2008009904.tif 000008
【図７】
2008009904.tif 000009
【図８】
2008009904.tif 000010
【図９】
2008009904.tif 000011
【図１０】
2008009904.tif 000012
【図１１】
2008009904.tif 000013
【図１２】
2008009904.tif 000014
【図１３】
2008009904.tif 000015